(57)【特許請求の範囲】
【請求項１】
竿体に筒状のグリップが装着された延べ竿であって、
グリップの外周面にトリガが突設され、
トリガを下側としそれとは反対側を上側として竿体の中心線を通る上下方向の切断面でグリップを切断した縦断面視において、グリップの上面であってトリガよりも前側の位置に、後側に向けて徐々に上昇する上昇傾斜領域を備え、
上昇傾斜領域は、少なくともトリガに対応した位置まで形成されていることを特徴とする延べ竿。
【請求項２】
上昇傾斜領域は、グリップの上面の前端部又は前端部近傍位置から形成されている請求項１記載の延べ竿。
【請求項３】
竿体に筒状のグリップが装着された延べ竿であって、
グリップの外周面にトリガが突設され、
トリガを下側としそれとは反対側を上側として竿体の中心線を通る上下方向の切断面でグリップを切断した縦断面視において、グリップの上面であってトリガよりも前側の位置に、後側に向けて徐々に上昇する上昇傾斜領域を備え、
前記縦断面視において、グリップの上面の最上部は、トリガよりも所定距離後側に位置していることを特徴とする延べ竿。
【請求項４】
前記縦断面視において、竿体よりも上側に位置するグリップの部分の肉厚は、前記最上部の位置において最も厚く、そこから前側に向けて徐々に減少している請求項３記載の延べ竿。
【請求項５】
グリップは樹脂成形品であって、竿体よりも上側に位置するグリップの部分の側面であってトリガに対応した位置に、側方に開口した凹部又は横孔が形成されている請求項４記載の延べ竿。
【請求項６】
竿体よりも上側に位置するグリップの部分の左右両側面に、トリガに対応した位置を前後に跨ぐようにして凹溝がそれぞれ形成され、凹溝の前後方向の所定位置であってトリガに対応した位置には、左右の凹溝同士を連通するように左右方向に貫通した横孔が形成されている請求項５記載の延べ竿。
【請求項７】
横孔の開口形状は、上昇傾斜領域に沿った方向に長い形状である請求項６記載の延べ竿。
【請求項８】
竿体に装着される延べ竿用の筒状のグリップであって、
外周面にトリガが突設され、
トリガを下側としそれとは反対側を上側として竿体の中心線を通る上下方向の切断面で切断した縦断面視において、上面であってトリガよりも前側の位置に、後側に向けて徐々に上昇する上昇傾斜領域を備え、
上昇傾斜領域は、少なくともトリガに対応した位置まで形成されていることを特徴とする延べ竿用のグリップ。
【請求項９】
竿体に装着される延べ竿用の筒状のグリップであって、
外周面にトリガが突設され、
トリガを下側としそれとは反対側を上側として竿体の中心線を通る上下方向の切断面で切断した縦断面視において、上面であってトリガよりも前側の位置に、後側に向けて徐々に上昇する上昇傾斜領域を備え、
前記縦断面視において、グリップの上面の最上部は、トリガよりも所定距離後側に位置していることを特徴とする延べ竿用のグリップ。
【発明の詳細な説明】
【技術分野】
【０００１】
本発明は、延べ竿と延べ竿に装着されるグリップに関する。
【背景技術】
【０００２】
穂先先端部に釣糸が結び付けられるタイプの釣竿である延べ竿は、リールを取り付けて使用するタイプの釣竿とは異なり、釣竿と釣糸、釣り鉤というシンプルな構成の釣りとなるため、魚とのダイレクトなやりとりが楽しめるという特徴がある。その一方、かかった魚を取り込む際には、リールで釣糸の巻き取りを調整しながら魚を引き寄せるということができないため、釣竿一本の操作のみが頼りになる。特に、鯉や青物等の大型の魚を延べ竿で釣る場合には、魚の強い引きや突っ込みに対してグリップを強く握って釣竿を操作して魚を引き寄せる必要があるが、魚の力が強いためにグリップを把持する手が滑って、手から釣竿が前側即ち竿先側に抜け落ちやすい。
【先行技術文献】
【特許文献】
【０００３】
【特許文献１】特開２０１０−５１２９４号公報
【発明の概要】
【発明が解決しようとする課題】
【０００４】
そこで本発明は、グリップを把持する手からの抜け落ちを防止することができる延べ竿と延べ竿用のグリップを提供することを課題としている。
【課題を解決するための手段】
【０００５】
本発明は上記課題を解決すべくなされたものであって、本発明に係る延べ竿は、竿体に筒状のグリップが装着された延べ竿であって、グリップの外周面にトリガが突設され、トリガを下側としそれとは反対側を上側として竿体の中心線を通る上下方向の切断面でグリップを切断した縦断面視において、グリップの上面であってトリガよりも前側の位置に、後側に向けて徐々に上昇する上昇傾斜領域を備えていることを特徴とする。
【０００６】
該構成の延べ竿にあっては、竿体に装着された筒状のグリップを把持して釣りを行う。その際、グリップの下面にトリガが形成されているので、トリガに指を引っ掛けるようにして把持することができる。特に、リールを使用しない延べ竿であるので、例えば、薬指と小指の間にトリガが位置する握り方や、人差し指から小指まで四本の指が全てトリガの前側に位置するような握り方でグリップを把持することができる。
【０００７】
尚、トリガを有するものとしては、両軸リール用の筒状のリールシートがある。図１１に上記特許文献１のリールシートの概略を示している。このリールシートは、上面にリール載置面１００を備え、そのリール載置面１００に図示しない両軸リールを載置して取り付ける。リール載置面１００とは１８０度反対側の面であるリールシートの下面には、下側に向けてトリガ１０１が突設されており、該トリガ１０１に前側から人差し指を引っ掛けるようにして把持し、両軸リールのスプールに親指を載せるようにしてサミングする。このようにスプールに親指を上側から載せるようにすることから、筒状のリールシートのリール載置面１００は、その高さを低くする必要がある。その一方、筒状のリールシートの内側を竿体が挿通する。従って、リール載置面１００を低くするためには、リール載置面１００を竿体の外周面に接近させる必要があり、リールシートの上側の部分のうちリール載置面１００が形成された部分の肉厚を非常に薄くしてリール載置面１００の高さを低くすることになる。また、リール載置面１００の後側にはフード１０２が一体的に形成されている。フード１０２は前側に開口していて、その開口部からリールの後側の脚部を挿入して、前側に位置する図示しない可動フードと共にリールの脚部を前後に狭持してリールを固定する。
【０００８】
これに対して、本願発明に係る延べ竿は、例えば薬指と小指の間にトリガが位置する握り方や、人差し指から小指まで四本の指が全てトリガの前側に位置するような握り方でグリップをしっかりと強く把持することができる。そして、グリップの上面であってトリガよりも前側の位置には、後側に向けて徐々に上昇する上昇傾斜領域が設けられているので、グリップを把持した際に、手のひらや親指の裏側の部分等が上昇傾斜領域に当接してフィットすることになる。特に、薬指と小指の間にトリガが位置する握り方、あるいは、人差し指から小指まで四本の指が全てトリガの前側に位置するような握り方でグリップを把持した際に、親指の付け根の部分である母指球がグリップの上面の上昇傾斜領域に当接することになり、手のひらがグリップの上面に自然とフィットすることになる。このようにトリガに指を引っ掛けると共にグリップの上面の上昇傾斜領域に手を当てることができるので、手のひらの全体でグリップをしっかりと保持することができる。
【０００９】
特に、上昇傾斜領域は、グリップの上面の前端部又は前端部近傍位置からトリガに対応した位置まで形成されていることが好ましく、薬指と小指の間にトリガが位置する握り方、あるいは、人差し指から小指まで四本の指が全てトリガの前側に位置するような握り方でグリップを把持した際に、上昇傾斜領域に母指球がより一層自然な状態で当接する。
【００１０】
更に、前記縦断面視において、グリップの上面の最上部は、トリガよりも所定距離後側に位置していることが好ましい。グリップの上面の最上部がトリガよりも後側に位置していると、上昇傾斜領域がトリガよりも更に後方に延びることになり、親指の裏側の部分や母指球がグリップの上面の上昇傾斜領域により一層フィットしやすくなる。
【００１１】
また、前記縦断面視において、竿体よりも上側に位置するグリップの部分の肉厚は、前記最上部の位置において最も厚く、そこから前側に向けて徐々に減少していることが好ましい。グリップの上面における膨出形状を肉厚変化によって形成することにより、グリップの上面の膨出形状を容易に形成でき、且つ、母指球等が当接して握力によって径方向内側に向けて強い力が作用する部分である最上部付近の強度を確保することができる。
【００１２】
特に、グリップは樹脂成形品であって、竿体よりも上側に位置するグリップの部分の側面であってトリガに対応した位置に、側方に開口した凹部又は横孔が形成されていることが好ましい。竿体よりも上側に位置するグリップの部分であってトリガに対応した位置近傍の部分は厚肉部となっているが、その厚肉部の側面に凹部や横孔を形成することにより、その厚肉部にヒケ等が発生することが防止され、所望の強度が確保されると共にグリップの上面の膨出形状も確実に形成できる。また、グリップの上面ではなく厚肉部の側面に凹部や横孔が形成されているので、グリップの上面の膨出形状はそのまま維持される。従って、グリップの上面に母指球等を違和感なく当接できる。
【００１３】
更に、竿体よりも上側に位置するグリップの部分の左右両側面に、トリガに対応した位置を前後に跨ぐようにして凹溝がそれぞれ形成され、凹溝の前後方向の所定位置であってトリガに対応した位置には、左右の凹溝同士を連通するように左右方向に貫通した横孔が形成されていることが好ましい。このように凹溝と横孔をセットで形成することにより、ヒケ等を効果的に抑制できて正確な形状と強度を確保できる。
【００１４】
更に、横孔の開口形状は、上昇傾斜領域に沿った方向に長い形状であることが好ましく、ヒケ等を効果的に抑制できる。
【００１５】
また、本発明に係る延べ竿用のグリップは、竿体に装着される延べ竿用の筒状のグリップであって、外周面にトリガが突設され、トリガを下側としそれとは反対側を上側として竿挿通孔の中心線を通る上下方向の切断面で切断した縦断面視において、上面であってトリガよりも前側の位置に、後側に向けて徐々に上昇する上昇傾斜領域を備えていることを特徴とする。
【発明の効果】
【００１６】
以上のように、グリップの下面にトリガが突設され、グリップの上面に上昇傾斜領域を備えているので、大型の魚の強い引きに対しても釣竿が前側に抜け落ちることがなく、手のひら全体でグリップをしっかりと把持して魚とのやりとりを楽しむことができる。
【図面の簡単な説明】
【００１７】
【図１】本発明の一実施形態における延べ竿用のグリップを示す斜視図。
【図２】同グリップの平面図。
【図３】同グリップの正面図。
【図４】図グリップの縦断面図。
【図５】同グリップの使用状態を示し、（ａ）は要部正面図、（ｂ）は要部断面図。
【図６】（ａ）は図３のＡ−Ａ端面図、（ｂ）は図３のＢ−Ｂ端面図。
【図７】同グリップの握り方の一例を示す正面図。
【図８】同グリップの握り方の一例を示す縦断面図。
【図９】同グリップの握り方の他の例を示す正面図。
【図１０】同グリップの握り方の他の例を示す縦断面図。
【図１１】トリガ付きの筒状リールシートを示す縦断面図。
【発明を実施するための形態】
【００１８】
以下、本発明の一実施形態に係る延べ竿用のグリップ１とそれを備えた延べ竿について図１乃至図１０を参酌しつつ説明する。グリップ１は筒状であってその内側に竿体２が挿通する。竿体２はグリップ１を前後方向に貫通する。グリップ１は、竿体２が挿通する竿挿通孔１０を有しており、その竿挿通孔１０に竿体２が挿通する。グリップ１の竿挿通孔１０の中心線１０ａは竿体２の中心線と一致する。グリップ１は延べ竿の竿尻から所定長さ前側に位置する。
【００１９】
尚、竿体２の軸線方向を前後方向と称すると共に、図中、竿先側（前側）を符号Ｘ１で示し、竿尻側（後側）を符号Ｘ２で示す。竿体２の軸線方向（前後方向）は竿体２の中心線の方向であり、竿挿通孔１０の中心線１０ａの方向である。また、後述するトリガ１１を下側としトリガ１１とは反対側を上側とし、上側を符号Ｚ１、下側を符号Ｚ２で示す。更に、図２のように上側から見た平面視において竿体２の軸線方向と直交する方向を左右方向とし、それを符号Ｙで示す。
【００２０】
グリップ１は、合成樹脂から射出成形により形成されている。即ち、グリップ１は樹脂成形品であって一つの部材からなる。本実施形態においてグリップ１は竿体２の外周面に接着により装着される。従って、グリップ１の内径は竿体２の外径に対応している。但し、図５のようにグリップ１の前部内周面と竿体２の外周面との間には装飾パイプ３が挿入される。
【００２１】
グリップ１の後側の開口端面１３は前後方向に対して直交する平面である一方、グリップ１の前側の開口端面１２は、前後方向に対して直交する平面ではなく、下側が前側に突出した凸状となり上側が後側に凹んだ凹状となるように斜めに傾斜した形状に形成されている。グリップ１の内周面は、内周面の全長のうちの大部分を占める主内周面１４と、前側の端部内周面１５とから構成される。主内周面１４は竿体２の外周面に接着される部分であって竿体２の外周面と同一径であり、後端部まで形成されている。端部内周面１５は主内周面１４よりも大径であって、主内周面１４の前側に段差部１６を介して連設されている。グリップ１の端部内周面１５に装飾パイプ３が挿入され、装飾パイプ３の後端部は段差部１６に当接し、装飾パイプ３の内周面は竿体２の外周面に接着される。段差部１６は装飾パイプ３の肉厚と等しい。従って、グリップ１の端部内周面１５は装飾パイプ３の外周面と同一径であり、装飾パイプ３の内周面は竿体２の外周面と同一径である。装飾パイプ３の内周面とグリップ１の主内周面１４は同一径である。
【００２２】
グリップ１の前側の開口端面１２が斜めに傾斜しているので、グリップ１への装飾パイプ３の挿入長さは上側において相対的に短く下側において相対的に長い。また、装飾パイプ３は、グリップ１の前側の開口端面１２から前側に所定長さ突出するが、上側においては突出量が大きく、下側においては突出量が小さい。
【００２３】
装飾パイプ３は、薄肉であって、その材質は、ステンレスやチタン、チタン合金、アルミニウム、アルミニウム合金、真鍮等の金属や、ＡＢＳ等の硬質樹脂が好ましい。装飾パイプ３は少なくともグリップ１よりも硬質であることが好ましい。また、装飾パイプ３の外周面は素材そのものであってもよいが、その外周面に各種のメッキやイオンプレーティング等の蒸着等の表面処理を施したり、塗装等を施したりしてもよい。装飾パイプ３は、グリップ１を竿体２に装着する前に予めグリップ１に挿入固定されることが好ましい。装飾パイプ３はその後端部がグリップ１の段差部１６に当接するまで挿入すればよい。尚、グリップ１と装飾パイプ３との固定方法は例えば接着剤を使用しない圧入ないしは嵌合であってもよいし、両面テープ等を使用した仮固定であってもよい。
【００２４】
グリップ１に挿入された装飾パイプ３がグリップ１から前側に所定長さ突出するので、装飾パイプ３の突出部分が目立つことになり、良好なデザインとなる。また、グリップ１の前側の開口端面１２が前後方向に対して直交する平面ではなく斜めに傾斜した形状に形成されていてその開口端面１２から装飾パイプ３が前側に突出しているので、装飾性の高いデザインが得られる。
【００２５】
グリップ１の下面１７にはトリガ１１が形成されている。該トリガ１１はグリップ１の成形時に一体的に形成される。トリガ１１は、グリップ１の前後方向の中央部よりもやや後方に位置する。トリガ１１は、図３及び図４のように、垂直下方に対して若干前側に傾斜して延びている。即ち、トリガ１１は、斜め前方に向けて突出している。また、トリガ１１は、その根元部の前後方向の厚さが厚く、そこから先端部に向けて徐々に前後方向の厚さが薄くなっている。尚、図示しないが、トリガ１１の前後方向の厚さ（寸法）は、左右方向の幅（寸法）よりも小さい。また、トリガ１１の幅は、根元部から先端部に向けて徐々に細くなっている。
【００２６】
図４に示す縦断面図は、竿挿通孔１０の中心線１０ａ、即ち、竿体２の中心線を通る上下方向の切断面でグリップ１を縦方向に切断したときの断面図である。尚、グリップ１の前後方向においてトリガ１１に対応した位置は、グリップ１の前後方向において最も下方に位置する部分であるトリガ１１の先端部の位置であり、この位置を前後方向トリガ対応位置Ｐと称することとし、その位置を図４で符号Ｐで示している。
【００２７】
かかる縦断面視においてグリップ１の下面１７は、前端部からトリガ１１の根元部前側位置１９まで段差部１６のない滑らかに連続した形状となっており、また、トリガ１１の根元部後側位置から後端部まで同様に段差部のない滑らかに連続した形状となっている。詳細には、グリップ１の下面１７は、トリガ１１よりも前側の領域において、前端部から後側に向けて徐々に緩やかに下降していき、前側最下部１８において最も下側に位置する、即ち最も膨出した状態となり、その前側最下部１８から後側に向けて徐々に緩やかに上昇していき、トリガ１１の根元部前側位置１９において最も上側に位置する、即ち、最も凹んだ状態となっている。尚、トリガ１１よりも前側の領域において、グリップ１の下側の肉厚は、前側最下部１８のところにおいて最も厚くなっていて、トリガ１１の根元部前側位置１９において最も薄くなっている。トリガ１１よりも後側の領域においては、グリップ１の下面１７は、トリガ１１の根元部後側位置から後側に向けて多少上下にうねりつつ後端部まで徐々に上昇していく。トリガ１１よりも後側の領域において、グリップ１の下側の肉厚は、トリガ１１の根元部後側位置から後端部に向けて多少変動しつつも徐々に薄くなっていく。
【００２８】
一方、縦断面視においてグリップ１の上面は、全体として山型に膨出した形状に形成されている。即ち、グリップ１の上面は、前端部２１から最上部２２まで徐々に滑らかに連続して上昇していき、最上部２２から後端部２３まで徐々に滑らかに連続して下降していく。最上部２２は山の頂上の部分であり、グリップ１の上面のうち最も高い箇所であるが、その最上部２２は、前後方向トリガ対応位置Ｐよりも後側に位置している。グリップ１の上面のうち前端部２１から最上部２２までの領域は、後側に向けて徐々に上昇していく、即ち径方向外側に膨出していく上昇傾斜領域２０である。図７〜図１０のようにグリップ１を把持した際に、上昇傾斜領域２０のうちトリガ１１よりも前側の部分であってその主として後部に母指球Ｓが当接する。上昇傾斜領域２０では、凹凸や不連続部分がなく、滑らかに連続した面となっている。
【００２９】
グリップ１の上側の肉厚は、前端部２１及び後端部２３において薄く、前端部２１から最上部２２にかけて厚さは増加していき、最上部２２から後端部２３にかけて厚さが減少していく。グリップ１の上側の肉厚は、上昇傾斜領域２０において、前端部２１よりも厚く、後側に向けて徐々にその厚さを増している。またグリップ１の上側の肉厚は、前後方向トリガ対応位置Ｐにおいて前端部２１よりも厚くなっており、前後方向トリガ対応位置Ｐの近傍は厚肉部となっている。従って、グリップ１の上側の肉厚は、前端部２１よりも前後方向トリガ対応位置Ｐの方が厚く、そして、最上部２２において最も厚肉となっている。即ち、図４に示す縦断面視において、グリップ１の上側の肉厚は、前端部２１から最上部２２にかけて徐々に後側に向けて増加しており、上昇傾斜領域２０において徐々に後側に向けて増加している。
【００３０】
また、竿体２よりも上側に位置するグリップ１の部分、それは即ち、例えば図４に示す縦断面視において竿挿通孔１０よりも上側に位置するグリップ１の部分であり、図６（ｂ）において一点鎖線で示す直線Ｑよりも上側の部分である。その竿挿通孔１０よりも上側に位置するグリップ１の部分の左右両側面には、図１〜図３及び図６のように、それぞれ側方に開口した凹溝３０が形成されている。左右の凹溝３０は互いに対称関係にある。凹溝３０は、前後方向に長く、前後方向トリガ対応位置Ｐ及びグリップ１の上面の最上部２２の位置を前後に跨ぐようにして前後に延びている。但し、凹溝３０は、グリップ１の上面の膨出形状に沿って延びている。また、凹溝３０の幅は全長に亘って一定ではなく、前後方向トリガ対応位置Ｐ近傍の所定長さ範囲において最も幅広であって、そこから前側及び後側に向けて徐々に先細り状に幅狭となっている。更に、凹溝３０の深さも全長に亘って一定ではなく、前後方向トリガ対応位置Ｐ近傍の所定長さ範囲において最も深く、そこから前側及び後側に向けて徐々に浅くなっている。
【００３１】
そして、図３，図４及び図６（ａ）に示すように、凹溝３０の全長のうち、幅広の部分である前後方向トリガ対応位置Ｐ近傍の所定長さ範囲には、左右の凹溝３０の底同士を連結するように左右方向に貫通した横孔３１が形成されている。即ち、横孔３１は、凹溝３０のうち最も深い部分に形成されている。尚、横孔３１は左右方向に貫通しているが、竿挿通孔１０よりも上側に位置するグリップ１の部分に形成されているので、横孔３１は竿挿通孔１０よりも上側に位置していて竿挿通孔１０とは連通していない。
【００３２】
横孔３１の開口形状、即ち、図４に示す縦断面視における横孔３１の断面形状は、丸型ではなく、前後方向に長い長円形状である。横孔３１が形成されている部分の上側に位置するグリップ１の上面の部分は、前側から最上部２２に向けて徐々に上昇している上昇傾斜の部分であるが、横孔３１の開口形状は、グリップ１の上面の最上部２２に向かう上昇傾斜の方向、即ち上昇傾斜領域２０に沿って長い形状である。横孔３１の開口形状は、後方に向けて若干上側に傾斜する方向に沿って長い長円形状となっている。尚、横孔３１は、グリップ１の上面の最上部２２よりも前側に位置している。即ち、横孔３１は、グリップ１の上面のうちの上昇傾斜領域２０に形成されている。また、図４に示す縦断面視において、横孔３１は、竿挿通孔１０よりも上側に位置するグリップ１の部分のうち、上下方向の中央部ではなく、竿挿通孔１０に近い側に偏心した位置に形成されている。
【００３３】
以上のように構成されたグリップ１が装着された延べ竿を使用して釣りをする場合、例えば一方の手でグリップ１を把持し他方の手でグリップ１とは異なる部分を把持する。特に大型の魚を釣る場合には、竿尻を腹部に当てるようにしてグリップ１を一方の手で把持し、グリップ１の前側の部分あるいは後側の部分を他方の手で把持して、魚の強い引きに耐えるようにして魚を引き寄せることになる。グリップ１の把持の仕方としては、例えば、図７及び図８に示しているように、薬指と小指の間にトリガ１１が位置するようにグリップ１を把持したり、あるいは、図９及び図１０に示しているように、人差し指から小指まで四本の指が全てトリガ１１の前側に位置するような握り方でグリップ１を把持したりして、グリップ１をしっかりと把持する。尚、親指については、図７や図８のようにグリップ１の上面に当接させてもよいし、図９や図１０のようにグリップ１の側面に沿わせるようにしてもよい。そして、そのような握り方でグリップ１を把持すると、前後方向トリガ対応位置Ｐよりも前側においてグリップ１の上面は後側に向けて上昇する上昇傾斜領域２０となっていて、親指の付け根の部分である母指球Ｓが上昇傾斜領域２０に自然な状態で当接してフィットすることになる。特に、グリップ１の上面の最上部２２がトリガ１１よりも後側に位置しているので、母指球Ｓが上昇傾斜領域２０にスムーズにフィットすることになる。従って、手のひら全体でしっかりとグリップ１を保持することができる。従って、大型の魚の強い引きに対してもグリップ１を把持する手が滑ることがなく、大型の魚とのやりとりを楽しむことができる。
【００３４】
また、グリップ１の上面における膨出形状を肉厚変化によって形成しているので、グリップ１の上面の膨出形状を容易に形成できる。そして、上昇傾斜領域２０においてグリップ１の上側の部分の肉厚が後側に向けて徐々に増しているので、上昇傾斜領域２０の強度を十分に確保することができ、大きな握力にも耐え得る強度が得られる。その一方、竿体２よりも上側に位置するグリップ１の厚肉部の側面には凹溝３０が形成されると共に横孔３１が形成されているので、グリップ１の厚肉部にヒケ等が発生することが防止される。グリップ１の厚肉部の上面ではなく側面に凹溝３０や横孔３１が形成されているので、グリップ１の上面の上昇傾斜は滑らかな面として維持され、その上昇傾斜領域２０に母指球Ｓを自然な状態でフィットさせることができ、従って、手のひらが痛くなることがなくグリップ１を強く把持することができる。
【００３５】
尚、本実施形態では、横孔３１の開口形状を長円形状としたが、丸型であってよく、例えば、丸型の横孔３１を前後に複数個並べて形成するようにしてもよい。更に、凹溝３０の幅や深さを一定としてもよい。また、凹溝３０の他、丸型等の種々の形状の凹部を側面に形成するようにしてもよい。
【００３６】
また、グリップ１の上面はその前端部２１の近傍位置から後側に向けて徐々に上昇してもよく、前端部２１から所定長さ後側に離れた位置から後側に向けて徐々に上昇していてもよい。更には、装飾パイプ３は省略されてもよく、グリップ１の内周面は全長に亘って径一定であってもよい。グリップ１の前側の開口端面１２も後側の開口端面１３と同様に竿挿通孔１０の中心線１０ａと直交する面であってもよい。
【００３７】
尚、グリップ１の握り方は上述したような二つの握り方の他、例えば、人差し指をトリガ１１の前側に引っ掛けるようにして把持する握り方であってもよい。そのように把持した場合には、グリップ１の上面の上昇傾斜領域２０には親指の裏側の部分が当接することになる。このような握り方であってもグリップ１の上面に上昇傾斜領域２０が設けられているので、しっかりとグリップ１を把持することができる。
【符号の説明】
【００３８】
１    グリップ
２    竿体
３    装飾パイプ
１０    竿挿通孔
１０ａ  中心線（竿体の中心線）
１１    トリガ
１２    前側の開口端面
１３    後側の開口端面
１４    主内周面
１５    端部内周面
１６    段差部
１７    下面
１８    前側最下部
１９    根元部前側位置
２０    上昇傾斜領域
２１    前端部
２２    最上部
２３    後端部
３０    凹溝
３１    横孔
１００  リール載置面
１０１  トリガ
１０２  フード
Ｓ    母指球
【図１】
0006543554.tif 000002
【図２】
0006543554.tif 000003
【図３】
0006543554.tif 000004
【図４】
0006543554.tif 000005
【図５】
0006543554.tif 000006
【図６】
0006543554.tif 000007
【図７】
0006543554.tif 000008
【図８】
0006543554.tif 000009
【図９】
0006543554.tif 000010
【図１０】
0006543554.tif 000011
【図１１】
0006543554.tif 000012